(57)【要約】【課題】  ロープ先端のフックを容易に且つ安全に屋根上の転落防止具に引っ掛けることを可能とし、各種転落防止具形状に対応した汎用性のある安全具を提供する。【解決手段】  真直な操作用ポール３と、操作用ポール３の先端に回転自在に設けられるヘッド５と、脱着自在とされ、操作用ポール３に継いで連結される複数の中継用ポール６と、ヘッド５に対して前後，高さ位置及び向きが調整自在とされるフック２と、屋根面を転動する昇降用ローラ１２と、操作用ポール３の先端に連結されて、回転操作によりヘッド５の下部より突出し、昇降用ローラ１２を浮かせヘッド５を横移動させるカム状ローラ１７と、フック２の取付基部に先端が結合される昇降用ロープ４とを備えている。【選択図】      図１
2006102219.tif 000002
【特許請求の範囲】
【請求項１】
命綱取付用の転落防止具を屋根面上に固定した屋根において、前記転落防止具に昇降用ロープの先端を固定し、該昇降用ロープを伝って屋根上を登り降りするための屋根上作業用安全具であって、
所定長さに形成される真直な操作用ポールと、
該操作用ポールの先端に設けられ、該操作用ポールが回転自在に設けられるヘッドと、
軸線方向に互いに脱着自在とされる複数で構成され、前記操作用ポールに継いで連結される中継用ポールと、
前記ヘッドに設けられ、前記転落防止具に引掛け係止されるフックと、
前記ヘッドに設けられ前記屋根面を転動する昇降用ローラと、
前記操作用ポールの先端に連結され、前記ヘッドに対して回動自在とされ、前記操作用ポールの回転操作により前記ヘッドの下部より突出し、前記昇降用ローラを浮かせた状態でその回転方向に前記ヘッドを横移動させるための横行用のカム状ローラと、
前記フックの取付基部に先端が結合される昇降用ロープと、
を備えていることを特徴とする屋根上作業用安全具。
【請求項２】
前記フックの取付基部は、複数のリンク片が連結されて構成され、前記フックが前記ヘッドに対して前後位置及び高さ位置が調整自在とされるとともに、前記フック先端の鉤型係止端の向きが前記取付基部に対して左右上下位置調整自在に設けられていることを特徴とする請求項１記載の屋根上作業用安全具。
【請求項３】
前記操作用ポールの外周面には、軸線方向に沿って、前記カム状ローラの向きを表示するための標示体が設けされていることを特徴とする請求項１又は２記載の屋根上作業用安全具。
【請求項４】
少なくとも分割状態の前記ポールを１つにまとめて収容するためのケースを備えていることを特徴とする請求項１又は２又は３記載の屋根上作業用安全具。
【発明の詳細な説明】
【技術分野】
【０００１】
本発明は、大工など屋根上での作業員が安全に屋根上を昇降するための屋根上作業用安全具に関し、特に屋根に予め取り付けられている転落防止具に対し、安全を確保した上で昇降用の昇降用ロープの先端を係止し得るようにした屋根上作業用安全具に関する。
【背景技術】
【０００２】
建物の屋根は、施工後の経年変化に応じてメンテナンスを行ったり、屋根施工後にアンテナを取り付けたり、交換作業を行うことがある。
この場合、屋根職人やアンテナ取付工などの作業員が屋根に上って資材の揚重や、補修、取付、交換作業を行うものであるが、特に屋根の場合には、その勾配に応じて傾斜があるため滑りやすく、高所作業であるため、作業にあたっては、作業者自体の身体確保や、揚重した資材や機材の確保に留意する必要がある。
そこで、このような作業を行うに際しては、命綱を用い作業員の転落を予め防止するようにしている。
【０００３】
この命綱の取り付けは、建物施工時に予め屋根の最上部である棟木などに転落防止具を設けておき、これに命綱の先端を係止し、その後この命綱に身体を確保しながら作業を行うようになっている。
【０００４】
しかし、前記転落防止具は屋根の最上部である棟木または、最上部に近い瓦の軒側端部に突出して固定されているため、地上部から梯子を伝って最初に屋根上に登る作業員は命綱無しの状態であり、この作業員が命綱の先端を前記取付金具に取付けた後に始めて安全性が確保される。
【０００５】
また、作業を終えた後の最後に降りる作業員が命綱を転落防止具から外すため、同じく命綱無しの状態で屋根上から降りなければならない。すなわち、屋根の軒側端と棟側端の距離は３．５〜４．５ｍ、大型の屋根の場合７ｍ程度あり、特に勾配の大きな屋根では、作業の最初と終りにこの距離を移動する際に転落などの危険性が生ずるものとなる。
【０００６】
このような転落防止のための対策としては、釣り竿状の長柄の先にフックを設けるとともに、フックに昇降用ロープを結びつけておき、作業の最初に長柄を梯子上からのばして棟側の転落防止具の１つにフックを引掛け係止し、昇降用ロープを伝って身体を確保しつつ屋根面に上がることを可能とするものが案出されている。このような長柄によれば、作業終了時にも、前記昇降用ロープを伝って梯子上に乗移り、梯子上からフックを取外し、撤去することで、作業の開始及び終了時における安全も確保することが可能である。
【発明の開示】
【発明が解決しようとする課題】
【０００７】
しかしながら、実際に軒側から棟側の距離が７ｍもある広い屋根で、これに相当する長さの長柄を手元で操作しようとする場合には、長柄自体の重量やロープの重量が重く、かつ瓦間の段差などによって引っ掛かってしまうなどでスムーズに転落防止具までフックを係止させることが困難であり、段差などに引っ掛かった際には一旦先端のフックを空中に持上げなければならず、長くなればなるほど大きな力を必要とする。
【０００８】
また、先端のフックを転落防止具に係止するために、一度の操作で係止することは不可能であり、長柄を横方向にも振り回さなければならず、長い長柄では微妙な操作がやりにくく、しかも梯子上であることから、作業に危険性を伴うおそれもあった。
【０００９】
さらには、転落防止具は、それを製造するメーカによって様々な形状や大きさ等が存在することから、単独の形状，大きさに対応したフックの高さや形状では、他のメーカ製転落防止具に適合しない場合もあり、汎用性が望まれていた。
【００１０】
そこで本発明は以上の課題を解決するものであり、その目的は、転落防止用の昇降用ロープ先端に設けられるフックを、容易に屋根上の転落防止具に引っ掛けることを可能とし、その操作を安全に梯子上から行え、屋根上に登る際、降りる際に、作業員の安全を確実に確保することを可能とし、かつ各種メーカの転落防止具に対応し汎用性に富む屋根上作業用安全具を提供するものである。
【課題を解決するための手段】
【００１１】
前記目的を達成するため、本発明の請求項１記載の屋根上作業用安全具は、図の実施の形態にも示すように、命綱取付用の転落防止具３０を屋根面上に固定した屋根６１において、前記転落防止具３０に昇降用ロープ４の先端を固定し、該昇降用ロープ４を伝って屋根上を登り降りするための屋根上作業用安全具１であって、
所定長さに形成される真直な操作用ポール３と、
該操作用ポール３の先端に設けられ、該操作用ポール３が回転自在に設けられるヘッド５と、
軸線方向に互いに脱着自在とされる複数で構成され、前記操作用ポール３に継いで連結される中継用ポール６と、
前記ヘッド５に設けられ、前記転落防止具３０に引掛け係止されるフック２と、
前記ヘッド５に設けられ前記屋根面を転動する昇降用ローラ１２と、
前記操作用ポール３の先端に連結され、前記ヘッド５に対して回動自在とされ、前記操作用ポール３の回転操作により前記ヘッド５の下部より突出し、前記昇降用ローラ１２を浮かせた状態でその回転方向に前記ヘッド５を横移動させるための横行用のカム状ローラ１７と、
前記フック２の取付基部に先端が結合される昇降用ロープ４と、
を備えていることを特徴とする。
【００１２】
請求項２記載の屋根上作業用安全具は、前記フック２の取付基部は、複数のリンク片が連結されて構成され、前記フック２が前記ヘッド５に対して前後位置及び高さ位置が調整自在とされるとともに、前記フック先端の鉤型係止端２ｂの向きが前記取付基部に対して左右上下位置調整自在に設けられていることを特徴とする。
【００１３】
請求項３記載の屋根上作業用安全具は、前記操作用ポール３の外周面には、軸線方向に沿って、前記カム状ローラ１７の向きを表示するための標示体１８が設けされていることを特徴とする。
【００１４】
請求項４記載の屋根上作業用安全具は、少なくとも分割状態の前記ポール３，６を１つにまとめて収容するためのケース７を備えていることを特徴とする。
【００１５】
前記屋根上作業用安全具１によれば、屋根面６１には、転落防止具３０が固定されており、この転落防止具３０に対し、作業員は、軒側に立て掛けられる梯子６２から、ヘッド５及びこれに連結された操作用ポール３を取出し、昇降用ロープ４を軒側に垂らした状態でヘッド５を屋根勾配に沿って上昇させ、操作用ポール３をのばしきった状態で、中継用ポール６を取出し、ネジ結合により順次継いでいく。繰出し動作により昇降用ローラ１２は屋根面を転動しつつ移動し、スムーズな移動が可能となる。また、屋根面６１に葺かれた瓦同士の段差が大きい場合であっても、ローラ１２の回転により、これら段差も簡単に乗越えることができ、段差位置でつっかえたりすることはない。ヘッド５が正確に目標とする転落防止具３０に指向していない場合には、中継用ポール６を操作用ポール３とともに回転させることにより、カム状ローラ１７を転動させて、ヘッド５を横方向に移動させ、この微調整操作により、フック２を転落防止具３０に接近させることができ、このフック２を転落防止具３０に対して引掛け係止を行う。そして、各ポール３，６を屋根面に沿わせて残置した状態で昇降用ロープ４を伝うことで屋根面６１の棟側に上がることが可能となる。なお、フック２の先端の鉤型係止端２ｂの高さや向きが、屋根上の転落防止具３０の向き等に合っていない場合には、取付基部を構成するリンク片の連結部分が関節状に連結構成されていることから、これらを操作することで向きや高さを調整・変更し、対応させる。
【発明の効果】
【００１６】
したがって本発明にあっては、屋根の軒側に立て掛けた梯子から順次中継用ポールを継ぎ足しながら屋根面に沿ってヘッドを移動した際には昇降用ローラが転動しながら瓦の段差を乗越えるため、昇降用ロープ先端のフックの移動が軽くスムーズに行うことが可能となる。また、フックを転落防止具に引っ掛ける際に、フックの位置にズレがある場合には、中継用ポールとともに操作用ポールを回転させることで、カム状ローラの回転による横移動が可能となり、確実に、かつ迅速に係止作業を行うことが可能となる。
【００１７】
また、本発明ではフックは、予め各種転落防止具の形状や高さ、突出位置などに応じてその前後位置や高さ位置、及びフックの鉤型係止端の向きを調整し固定しておくことによって、いずれの形状の転落防止具にも対応することが可能であり、汎用性が高い。
【００１８】
さらに本発明では、操作用ポールに形成された標示体の位置によってカム状ローラの回転向きが直ちに目視判別可能であり、このことから、例えば長径と短径とを有する略楕円形のカム状ローラとすれば、その長径が移動長さとなり、その移動距離を容易に予測でき、また、短径の位置を判断可能であることから、昇降用ローラが、屋根面から浮いているか否かが視認可能となる。
【００１９】
また本発明では、不使用状態では、常にケースに分割したポールを収納しておくことによって、紛失や員数不足を防止でき、また携行しやすく、作業性が向上することとなる。
【発明を実施するための最良の形態】
【００２０】
以下、本発明の最良の実施形態につき添付図面を参照して説明する。図１は本発明に係る屋根上作業用安全具の略全部品構成を示している。
図１において、この屋根上作業用安全具１は、先端上部にフック２を突設し、後端にポール３を回転可能に一体に接続するヘッド５と、フックの基部に先端が結合される昇降用ロープ４と、前記操作用ポール３の後端に順次接続される複数の中継用ポール６と、これら操作用ポール３及び中継用ポール６を収納する円筒状ケース７のセットからなっている。
【００２１】
前記操作用ポール３及び中継用ポール６は、細径で長尺に形成され、例えば、直径約１２ｍｍ、長さ約１ｍとされ、いずれも中空に形成されるパイプ状部材、例えば軽量アルミ製パイプ等よりなる。各ポール３，６は、先端に雄ネジ部８が突設され、後端に雌ねじ部９が挿着されており、ねじ込み操作により操作用ポール３の後端に中継用ポール５を順次継ぐことでその長さをのばすことができるようにしている。
【００２２】
中継用ポール６は、複数で構成され、例えば合計で６本とされ、全てを継ぎ足した状態でヘッド５を除く長さが約７ｍとなり、屋根面の軒側から棟側にかけて十分な長さに対応されるようになっている。
【００２３】
また、前記昇降用ロープ４は作業員の体重を支え、ある程度の衝撃荷重に対して十分な対抗できる太さ、強度の素材より構成され、例えば、合成樹脂ワイヤーや合成繊維又は天然繊維によるロープ材、或いは、ナイロン又はビニロンロープ等が使用される。この昇降用ロープ４は、例えば、長さ約１０ｍ程度であり、屋根面の棟から軒までの長さに対して十分に長い長さが好ましく、先端を棟位置とした場合でも、その手前側端部が軒側に垂下がるような長さに設定されている。なお、図では省略しているが、昇降用ロープ４の途中には、適宜の間隔で結び目状のコブよりなる複数の手掛け部が形成され、この昇降用ロープ４をつかむ際の手がかりとし、この手掛け部を利用して滑りを防止する構成とすることが好ましい。
【００２４】
ケース７は、例えば合成樹脂素材の筒状体であって、上記した全てのポール３，６をその内部に収容し得る長さ及び外径となっている。ケース７の一端は、脱着自在な蓋７ａを備え、この蓋７ａには開口部７ｂが形成されている。なお、この実施の形態のケース７は、前記操作用ポール３を収納した状態でヘッド５のみ開口部７ｂを貫通した状態で蓋７ａの外部に突出させるようにしている。また、ケース７には、一端から他端にかけて連結された肩掛け用の紐１０を備えており、この紐１０にて作業員が携帯できるようになっている。
【００２５】
次に、ヘッド５の部分における詳細構造を同図１及び図２〜図４を用いて説明する。
ヘッド５は、略方形箱状に形成されており、本実施の形態では、両側を下方に折曲形成された金属プレス成形体と、その後部に金属板からなる後壁１１を溶接などによって一体化し、かつ両側板の先端に傾斜縁部を形成させた、すなわち中空部分を有する略くさび形状となっている。なお、このヘッド５は、素材とする金属板を、十分な厚みのあるもので構成することで、適度な重量を備える構成とすることができる。すなわち、ヘッド５を移動させる際に、安定して移動が可能となる。
【００２６】
ヘッド５には、昇降用ローラ１２が設けられる。この昇降用ローラ１２は、本実施の形態では、ヘッド５の両側部に設けられ、対となって構成され、それぞれ屋根面に接して転動するように、ヘッド５の下縁よりも外周縁の一部が突出するように支軸となるビス１３及びナット１４等を介して回転可能に設けられている。この昇降用ローラ１２は、弾性体等で構成され、例えば、合成樹脂よりなり、ヘッド５の全荷重を支持しつつ転動することで、屋根面における上下の移動をスムーズに行うようになっている。なお、昇降用ローラ１２は、外周側をやや軟質な合成樹脂や弾性を備える樹脂とすることで、屋根面転動時の滑りが減り、転動が良好なものとなる。
【００２７】
また、ヘッド５の後壁１１の中央部には貫通孔が形成され、操作用ポール３の雄ネジ部８が貫通している。そして、このヘッド５の後壁１１の内側面において、その貫通端である雄ネジ部８先端にワッシャ１５及びナット１６を介して横行用のカム状ローラ１７が固定されている。すなわち、後壁１１に対して、操作用ポール３とともにカム状ローラ１７が回動自在となるよう設けられている。
【００２８】
カム状ローラ１７は、長径と短径とを備える略楕円形状、或いは、略長円形状に形成された硬質ゴム或いは樹脂成形体である。図２に示す配置では、カム状ローラ１７は、その長手方向（長径方向）がヘッド５内に水平に位置し、ヘッド５外へ突出することなく格納されている。そして、この状態から操作用ポール３を９０°回動させることにより、カム状ローラ１７は図４（ａ）に示すように、ヘッド５の下部に長手方向一端が突出し、昇降用ローラ１２を接地状態から浮かせ、この状態から更に同方向に９０°回動させると、浮上がった状態でその回動方向にヘッド５を横移動つつ水平になり、再び前記ローラ１２を屋根面に着地させるようになっている。
【００２９】
つまり、カム状ローラ１７は、その長径を、操作用ポール３の軸芯からの垂下方向の長さで、両昇降用ローラ１２の接地面の外縁までの距離より長い半径とされて構成され、カム状ローラ１７が、長径を垂直な状態とした際には、両昇降用ローラ１２よりも下方に突出するように設定されている。このようなカム状ローラ１７によれば、カム状ローラ１７が回転すると、回転の途中から昇降用ローラ１２よりも下方への突出が始まり、これにより、昇降用ローラ１２を浮かせ、カム状ローラ１７が接地している間は、このカム状ローラ１７の回転によってヘッド５を移動、すなわち昇降用ローラ１２の移動方向とは直交する横方向に移動を行い、再び昇降用ローラ１２が接地するまでヘッド５が移動することとなる。このカム状ローラ１７によれば、上記した昇降用ローラ１２を浮かせ、再び接地するまでの間が移動のピッチとなり、すなわち、操作用ポール３の回転によって横方向に移動が行われるようになっている。
【００３０】
なお、カム状ローラ１７がヘッド５内に格納状態にあるか、突出状態にあるのかの確認のために、前記操作用ポール３の外周面には、軸線方向に沿って、線状の標示体１８が設けられている。この標示体１８は、例えば色合いの明るい塗料や蛍光塗料、或いはテープ状の貼付体などで形成され、操作用ポール３の全長にわたって真直に設けられており、また、１８０°の間隔で設けられ、カム状ローラ１７の短径に対応して設けられることで、カム状ローラ１７がヘッド５内にて水平であることが、容易に目視判別できるようにしている。
【００３１】
ヘッド５には、フック２が設けられている。このフック２は、取付基部がヘッド５の上面に設けられ、この取付基部は、複数のリンク片、本実施の形態では、支持ブラケット２０，平リンク２１，アングル材２３にて構成され、設けられている。
支持ブラケット２０は、ビス１９を介してヘッド５の上面に立設されている。この支持ブラケット２０は前後方向に長く、その後部には前記昇降用ロープ４の先端を固定するための取付孔２０ａが穿設され、また支持ブラケット２０の先端側には平リンク２１の一端がビス２２を介して設けられている。平リンク２１の他端には、アングル材２３の一端が同じくビス２２を介して連結され、このアングル材２３の他端である先端部にはフック２の基部２ａが連結されている。このアングル材２３の先端部は、略Ｌ字状に屈曲形成され、基部２ａが貫通しているとともに、この基部２ａに形成される雄ネジ部分に一対の締付けナット２４がアングル材先端部を挟持するように螺着され取り付けられている。
【００３２】
また、図２に示すように、ヘッド５の上面には、縦一列に複数の取付孔５ａが穿設されており、支持ブラケット２０の取付位置を、前後方向に調整可能となっている。すなわち、ヘッド５の上面における立設位置を、変更可能となっている。
【００３３】
支持ブラケット２０，平リンク２１，アングル材２３のそれぞれを連結するビス２２、支持ブラケット２０とヘッド５とを連結するビス１９、アングル材２３とフック２とを連結する基部２ａとナット２４のそれぞれは、互いを締結固定するのではなく、互いに揺動自在となるように、すなわち関節部分となるように互いを連結している。本実施の形態では、支持ブラケット２０，平リンク２１，アングル材２３のそれぞれの板面が同方向となって連結されており、支持ブラケット２０に対し、平リンク２１及びアングル材２３が、ヘッド５の上面に対して接離方向に揺動自在とされ、また支持ブラケット２０はヘッド５の上面に対してその板面方向に揺動自在とされ、されにフック２は、アングル材２３に対して３６０°回転自在とされる。
【００３４】
図２，３においては、フック２の先端の鉤型係止端２ｂの向きは水平となっている。このフック２が係止される相手部品である転落防止具は、その形状として、複数種有する。例えば、図３（ａ）に示す形状の転落防止具３０では、厚肉の設置プレート３１の上面に略半円環状の係止部３２の両端が屋根面の勾配方向に沿って植設されており、この場合には、先端部２ｂを図示のごとく水平に向け、係止部３２の下端側に引掛け係止することが望ましい。
【００３５】
また図３（ｂ）に示す転落防止具４０では、厚肉の設置プレート４１の上面に半円環状の係止部４２の両端が屋根勾配方向とは直交して植設されており、この場合にはフック端２ｂを下方に向けて、或いは上方、若しくは一端側に係止するのが望ましく、この場合の調整は、ナット２４の位置で回転させ、次いで鉤型先端部２ｂを下方に、或いは上方に、若しくは水平に修正後、引掛け係止する。
【００３６】
さらには、図３（ｃ）に示す転落防止具５０では、厚肉の設置プレート５１の先端を所定角度起立させ、この部分に係止用開口５２を形成したものであり、これらの形状に応じてフック２の先端部２ｂの向きを調整すればよい。
【００３７】
これら転落防止具３０，４０，５０はその軒からの高さ及び棟木あるいは瓦からの突出量も製造メーカによって異なり、さらには、その設置状況によっても異なるものであるが、フック２の高さの調整は例えば図４（ｂ）に破線で示すように、このフック２の取付基部である支持ブラケット２０，平リンク２１，アングル材２３の各連結部分を角度調整することにより、すなわち関節状に屈伸操作することでフック２の高さを調整できる。またヘッド５上面の各取付孔５ａによりフック２の基部である支持ブラケット２０の取付位置が変更可能であることで、ヘッド５の前縁が設置プレート３０，４０，５０などに干渉する場合には、図４（ｃ）に示すように、その孔５ａの位置を選んで支持ブラケット２０の取付位置を選択すればよい。
【００３８】
以上のように、各種形状の転落防止具に応じてフック２の上下位置、前後位置、フックの先端部の向きを調整できるため、いずれの転落防止具にも適合して使用でき、汎用性が高いものとなる。
【００３９】
次に、以上説明した屋根上作業用安全具１を用いた屋根上作業を図５を用いて説明する。
この図において、建物６０の屋根面６１における棟側には、所定間隔をおいて、例えば図３（ａ）に示す転落防止具３０が予め固定されている。
【００４０】
まず、地上面より、軒側に梯子６２を立て掛け、本発明の屋根上作業用安全具１を構成する全体を収容したケース７を背負った作業員が梯子を登り、屋根面６１の見える適宜位置で、まずヘッド５及びこれに連結された操作用ポール３を取り出す。
【００４１】
次に、昇降用ロープ４を軒側から地上面方向に垂らした状態でヘッド５を屋根勾配に沿って矢印（図中上向き矢印）のごとく上昇させ、操作用ポール３をのばしきった状態で、中継用ポール６を取り出し、ネジ結合により順次継いでいく。
【００４２】
繰出し動作により、昇降用ローラ１２は屋根面を転動しつつ上方へ移動し、スムーズな移動が可能となる。また、屋根面６１に葺かれた図示しない瓦同士の段差が大きい場合であっても、ローラ１２のスムーズな回転により、またヘッド５の下縁に形成した傾斜縁部により、これら段差も簡単に乗越えることができ、段差位置でつっかえたり、空中へ持上げたりする必要はない。
【００４３】
ここで、上昇移動中のヘッド５が、正確に目標とする転落防止具３０に指向していない場合は、中継用ポール６とともに操作用ポール３を回転することにより、カム状ローラ１７を転動させる。このカム状ローラ１７の転動によって、矢印（図中左右方向の矢印）のごとくヘッド５を横方向に所定ピッチで移動させることができ、このような微調整操作により、図示のごとくフック２が転落防止具３０に引掛け係止される。
【００４４】
この作業以降は、ポール部分を屋根面６１に沿って残置した状態で、フック２に連結された昇降用ロープ４を伝って、作業員は屋根面６１の棟側に上がることができる。
【００４５】
屋根面６１に上がった後は、転落防止具３０に取付けた命綱または親綱を作業員Ａのカラビナなどを介して接続することにより安全を確保した状態で屋根作業を行うことができるのである。
【００４６】
全ての屋根作業を終了したら、屋根作業用の機材、資材を撤収し、最後に作業員Ａが梯子６３に乗移った後、フック２を転落防止具３より掛け外し、すなわち、中継用ポール６を持ち、フック２をわずかに上昇移動させて係止を解除して引き戻し、前記とは逆の手順で中継用ポール６を外しつつ、手元側に引寄せれば、安全具１の撤去を完了する。なお、各中継用ポール６を接続したままの状態で全体を地上に降ろし、地上で分解作業を行っても良いことも勿論である。
【００４７】
なお、上述した実施の形態では、カム状ローラ１７の形状を、長円形状とした例について説明したが、三角形状や方形状、或いは歯車状に形成してもよく、昇降用ローラ１２の屋根面に対する接地状態と浮いた状態とを繰り返すことが可能なものであり、ヘッド５の横移動が可能となる構成となれば、上記形状に限定されることはない。
【図面の簡単な説明】
【００４８】
【図１】本発明に係る屋根上作業用安全具の全部品構成を示す側面図である。
【図２】同安全具のヘッド部分の分解斜視図である。
【図３】同ヘッドの組立状態とこれの先端に係合される各種転落防止具を示す斜視図である。
【図４】（ａ）〜（ｃ）はヘッド部分の形態変化を示す側面図である。
【図５】同安全具と転落防止具との結合作業を示す全体斜視図である。
【符号の説明】
【００４９】
１…屋根上作業用安全具
２…フック
２ｂ…鉤型係止端
３…先端ポール
４…昇降用ロープ
５…ヘッド
６…中継用ポール
７…円筒状ケース
１２…昇降用ローラ
１７…カム状ローラ
１８…表示体
３０，４０，５０…転落防止具
６１…屋根面
【図１】
2006102219.tif 000003
【図２】
2006102219.tif 000004
【図３】
2006102219.tif 000005
【図４】
2006102219.tif 000006
【図５】
2006102219.tif 000007